(57)【要約】【課題】本発明は、ガラスパネルを支持する支持部材がガラスパネルに対して目立たないガラスパネルの支持構造、及び、カーテンウォールを構築する際に工期を短縮でき、且つ強度においても方立構造と同等の強度を有するガラスパネルユニット並びにカーテンウォールを提供することを目的とする。【解決手段】本発明によれば、下見板張り状に配置される複数のガラスパネル１２、１２…と平行になるように、支持部材１４を階段状に構成する。これにより、ガラスパネル１２、１２…と支持部材１４とが視覚的に一体化するので、支持部材１４がガラスパネル１２に対して目立たなくなる。また、支持部材１４又はラーメン構造体であり、又はラーメンの２本の縦梁１６Ａ、１６Ｂによって剛的に荷重を伝達することにより、ガラスパネル１２、１２…を縦梁１６Ａ、１６Ｂの主に軸力によって支持する。これにより、従来の方立構造と同等の構造強度を得ることができる。【選択図】図３
2007332644.tif 000002
【特許請求の範囲】
【請求項１】
複数枚のガラスパネルが支持部材により下見板張り状に配置される複数のガラスパネルの壁面構造であって、
前記支持部材は第１のガラスパネルの左右各々の上下端に少なくとも第１及び第２の横梁と、第１のガラスパネルの左右各々に第１のガラスパネルと略平行な第１及び第２の縦梁と、を有し、
前記左右の第１の横梁は、前記第1のガラスパネルの上辺コーナー部付近を支持する第１の係止部と、前記第１の係止部より屋外側に位置する前記第１のガラスパネルの上方に配置される第２のガラスパネルの下辺コーナー部を支持する第２の係止部と、を有し、
第２の横梁は、前記第１のガラスパネルの下辺コーナー部付近を支持する第３の係止部と、前記第３の係止部より屋内側に位置する前記第１のガラスパネルの下方に配置される第３のガラスパネルの上辺コーナー部付近を支持する第４の係止部と、を有し、
前記第１及び第２の横梁は前記第１及び第２の縦梁により、連結、固定されていることを特徴とするガラスパネルの壁面構造。
【請求項２】
前記第１の縦梁が連結、固定された前記第１及び第２の横梁との間であって、前記第１のガラスパネルの左右に、かつ前記第１の縦梁よりも屋内側に、前記第１の縦梁と略平行に前記第２の縦梁が配置されていることを特徴とする請求項１に記載のガラスパネルの壁面構造。
【請求項３】
前記第１の縦梁は、すくなくとも前記第２のガラスパネルの左右上辺コーナー部付近を支持する第３の横梁まで延在され、前記第１の縦梁と第３の横梁が連結、固定されていることを特徴とする請求項１または２に記載のガラスパネルの壁面構造。
【請求項４】
前記第２の縦梁は、すくなくとも前記第３のガラスパネルの左右下辺コーナー部付近を支持する第４の横梁まで延在され、前記第２の縦梁と前記第４の横梁が連結、固定されていることを特徴とする請求項１から３のいずれかに記載のガラスパネルの壁面構造。
【請求項５】
前記第１の縦梁は、前記第1の縦梁の上端部と前記第３の横梁とが連結、固定され、前記第1の縦梁の下端部と前記第２の横梁とが連結、固定され、かつ前記第２の縦梁は、前記第２の縦梁の上端部と前記第１の横梁とが連結、固定され、前記第２の縦梁の下端部と前記第４の横梁とが連結、固定されていることを特徴とする請求項４に記載のガラスパネルの壁面構造。
【請求項６】
前記第１及び第３の横梁との間であって、前記第２のガラスパネルの左右に、かつ第１の縦梁よりも屋外側に、前記第１の縦梁と略平行に第３の縦梁が配置され、前記第３の縦梁により前記第１及び第３の横梁が連結固定されていることを特徴とする請求項５に記載のガラスパネルの壁面構造。
【請求項７】
前記第２及び第４の横梁との間であって、前記第２のガラスパネルの左右に、かつ第２の縦梁よりも屋内側に、前記第２の縦梁と略平行に第４の縦梁が配置され、前記第４の縦梁により前記第２及び第４の横梁が連結固定されていることを特徴とする請求項５または６に記載のガラスパネルの壁面構造。
【請求項８】
前記第１の縦梁は、前記第１の縦梁の上端部と前記第１の横梁とが連結、固定され、前記第１の縦梁の下端部と前記第２の横梁とが連結、固定され、かつ前記第２の縦梁は、前記第２の縦梁の上端部と前記第１の横梁とが連結、固定され、前記第２の縦梁の下端部と前記第３のガラスパネルの左右下辺コーナー部付近を支持する第４の横梁とが連結、固定されていることを特徴とする請求項１または２に記載のガラスパネルの壁面構造。
【請求項９】
前記第２及び第４の横梁との間であって、前記第２のガラスパネルの左右に、かつ第２の縦梁よりも屋内側に、前記第２の縦梁と略平行に第４の縦梁が配置され、前記第４の縦梁により前記第２及び第４の横梁が連結固定されていることを特徴とする請求項８に記載のガラスパネルの壁面構造。
【請求項１０】
前記第１の縦梁は、前記第１の縦梁の上端部と前記第２のガラスパネルの左右上辺コーナー部付近を支持する第３の横梁とが連結、固定され、前記第１の縦梁の下端部と前記第２の横梁とが連結、固定され、かつ前記第２の縦梁は、前記第２の縦梁の上端部と前記第１の横梁とが連結、固定され、前記第２の縦梁の下端部と前記第２の横梁と、が連結、固定されていることを特徴とする請求項１または２に記載のガラスパネルの壁面構造。
【請求項１１】
前記第１及び第３の横梁との間であって、前記第２のガラスパネルの左右に、かつ第１の縦梁よりも屋外側に、前記第１の縦梁と略平行に第３の縦梁が配置され、前記第３の縦梁により前記第１及び第３の横梁が連結固定されていることを特徴とする請求項１０に記載のガラスパネルの壁面構造。
【請求項１２】
前記第１乃至第４の係止部の少なくとも一つが前記第１乃至第４の横梁と分離可能に接合されていることを特徴とする請求項４から１１のいずれかに記載のガラスパネルの壁面構造。
【請求項１３】
前記第１乃至第２の縦梁および前記第１乃至第４の横梁の少なくとも一つが、隣り合う前記ガラスパネルとで共用されていることを特徴とする請求項４から１２のいずれかに記載のガラスパネルの壁面構造。
【請求項１４】
請求項１から１３のうちいずれか一つに記載のガラスパネルの壁面構造によって構築されたことを特徴とするカーテンウォール。
【請求項１５】
所定の高さに対応する複数枚のガラスパネルからなる一列のパネル体が、請求項１から１３のうちいずれか一つに記載のガラスパネルの壁面構造により支持されることを特徴とするガラスパネルユニット。 
【請求項１６】
請求項１５に記載のガラスパネルユニットによって構築されたことを特徴とするカーテンウォール。
【発明の詳細な説明】
【技術分野】
【０００１】
本発明は、特に外壁材としてガラスパネルを用いたカーテンウォールにおける、ガラスパネルの壁面構造及びガラスパネルユニット並びにガラスパネルユニットによって構築されるカーテンウォールに関する。
【背景技術】
【０００２】
外壁材としてガラスパネルを用いたカーテンウォールは、透視性、デザイン性に優れており、近年では高層建築物のカーテンウォールに盛んに使用されている。また、ガラスパネルとして熱線吸収ガラス、高断熱遮熱複層ガラス、複層ガラス、合わせガラス等の諸機能（断熱、保温、遮音、安全機能）を有するガラスが選択されて使用されている。
【０００３】
一方、カーテンウォールにおけるガラスパネルの支持構造としては、特許文献１等に開示された方立（マリオン）タイプの支持構造が一般的に知られている。この支持構造は、方立と呼ばれる強度部材を階床に鉛直方向に固定するとともに、この方立に直交して複数の無目を所定の間隔で取り付け、この後、隣接する方立の間の上下に位置する無目にガラスパネルを嵌め込んで支持する構造である。
【０００４】
また、特許文献１のガラスパネルの支持構造は、上方のガラスパネルの下端縁を呑み込む第１の呑込部と、下方のガラスパネルの上端縁を呑み込む第２の呑込部とが無目に形成されている。また、第１の呑込部は、第２の呑込部よりも室外側に形成されるとともに、第１の呑込部と第２の呑込部とが見込み方向に重ねて形成されている。このカーテンウォール構造によれば、第１の呑込部と第２の呑込部とを見込み方向に重ねた分だけ無目の見付け寸法が小さくなるので、無目が目立ち難くなり、カーテンウォールの外観が良好になるという利点がある。また、このように二つの呑込部を見込み方向に重ねて形成した特許文献１のカーテンウォール構造は、その構造上、ガラスパネルを鉛直方向に支持する構造ではなく、ガラスパネルを上下方向に傾斜した姿勢で支持する下見板張り状の構造となっている。
【特許文献１】特開２００１−２０４２５号公報
【発明の開示】
【発明が解決しようとする課題】
【０００５】
しかしながら、特許文献１に開示されたガラスパネルの支持構造では、無目を支持する方立が、幅が大きく厚みも厚い柱状の支持構造体なので、室外からこのカーテンウォールを斜め方向から見ると、隣接する方立の一部が重なりあって全体として一種の壁のように見えるため、透視性が悪くデザイン的に良好なものではないという欠点があった。また、特許文献１のカーテンウォール構造は、方立を躯体に固定する作業、方立に無目を取り付ける作業、及び無目にガラスパネルを嵌め込む作業を建築現場で行う必要があるため、工期が長くなるという問題もあった。
【０００６】
本発明は、このような事情に鑑みてなされてもので、ガラスパネルを支持する支持部材がガラスパネルに対して目立たないガラスパネルの壁面構造、及び、カーテンウォールを構築する際に工期を短縮でき、且つ強度においても方立構造と同等の強度を有するガラスパネルユニット並びにカーテンウォールを提供することを目的とする。
【課題を解決するための手段】
【０００７】
請求項１に記載の発明は、前記目的を達成するために、複数枚のガラスパネルが支持部材により下見板張り状に配置される複数のガラスパネルの壁面構造であって、前記支持部材は第１のガラスパネルの左右各々の上下端に少なくとも第１及び第２の横梁と、第１のガラスパネルの左右各々に第１のガラスパネルと略平行な第１及び第２の縦梁と、を有し、前記左右の第１の横梁は、前記第1のガラスパネルの上辺コーナー部付近を支持する第１の係止部と、前記第１の係止部より屋外側に位置する前記第１のガラスパネルの上方に配置される第２のガラスパネルの下辺コーナー部を支持する第２の係止部と、を有し、第２の横梁は、前記第１のガラスパネルの下辺コーナー部付近を支持する第３の係止部と、前記第３の係止部より屋内側に位置する前記第１のガラスパネルの下方に配置される第３のガラスパネルの上辺コーナー部付近を支持する第４の係止部と、を有し、前記第１及び第２の横梁は前記第１及び第２の縦梁により、連結、固定されていることを特徴とするガラスパネルの壁面構造を提供する。
【０００８】
請求項２に記載の発明は、請求項１において、前記第１の縦梁が連結、固定された前記第１及び第２の横梁との間であって、前記第１のガラスパネルの左右に、かつ前記第１の縦梁よりも屋内側に、前記第１の縦梁と略平行に前記第２の縦梁が配置されていることを特徴とする。
【０００９】
請求項３に記載の発明は、請求項１又は２において、前記第１の縦梁は、すくなくとも前記第２のガラスパネルの左右上辺コーナー部付近を支持する第３の横梁まで延在され、前記第１の縦梁と第３の横梁が連結、固定されていることを特徴とするガラスパネルの壁面構造。
【００１０】
請求項４に記載の発明は、請求項１から３において、前記第２の縦梁は、すくなとも前記第３のガラスパネルの左右下辺コーナー部付近を支持する第４の横梁まで延在され、前記第２の縦梁と前記第４の横梁が連結、固定されていることを特徴とする。
【００１１】
請求項５に記載の発明は、請求項４において、前記第１の縦梁は、前記第1の縦梁の上端部と前記第３の横梁とが連結、固定され、前記第1の縦梁の下端部と前記第２の横梁とが連結、固定され、かつ前記第２の縦梁は、前記第２の縦梁の上端部と前記第１の横梁とが連結、固定され、前記第２の縦梁の下端部と前記第４の横梁とが連結、固定されていることを特徴とする。
【００１２】
請求項６に記載の発明は、請求項５において、前記第１及び第３の横梁との間であって、前記第２のガラスパネルの左右に、かつ第１の縦梁よりも屋外側に、前記第１の縦梁と略平行に第３の縦梁が配置され、前記第３の縦梁により前記第１及び第３の横梁が連結固定されていることを特徴とする。
【００１３】
請求項７に記載の発明は、請求項５または６において、前記第２及び第４の横梁との間であって、前記第２のガラスパネルの左右に、かつ第２の縦梁よりも屋内側に、前記第２の縦梁と略平行に第４の縦梁が配置され、前記第４の縦梁により前記第２及び第４の横梁が連結固定されていることを特徴とする。
【００１４】
請求項８に記載の発明は、請求項１または２において、前記第１の縦梁は、前記第１の縦梁の上端部と前記第１の横梁とが連結、固定され、前記第１の縦梁の下端部と前記第２の横梁とが連結、固定され、かつ前記第２の縦梁は、前記第２の縦梁の上端部と前記第１の横梁とが連結、固定され、前記第２の縦梁の下端部と前記第３のガラスパネルの左右下辺コーナー部付近を支持する第４の横梁とが連結、固定されていることを特徴とする。
【００１５】
請求項９に記載の発明は、請求項８において、前記第２及び第４の横梁との間であって、前記第２のガラスパネルの左右に、かつ第２の縦梁よりも屋内側に、前記第２の縦梁と略平行に第４の縦梁が配置され、前記第４の縦梁により前記第２及び第４の横梁が連結固定されていることを特徴とする。
【００１６】
請求項１０に記載の発明は、請求項１または２において、前記第１の縦梁は、前記第１の縦梁の上端部と前記第２のガラスパネルの左右上辺コーナー部付近を支持する第３の横梁とが連結、固定され、前記第１の縦梁の下端部と前記第２の横梁とが連結、固定され、かつ前記第２の縦梁は、前記第２の縦梁の上端部と前記第１の横梁とが連結、固定され、前記第２の縦梁の下端部と前記第２の横梁と、が連結、固定されていることを特徴とする。
【００１７】
請求項１１に記載の発明は、請求項１０において、前記第１及び第３の横梁との間であって、前記第２のガラスパネルの左右に、かつ第１の縦梁よりも屋外側に、前記第１の縦梁と略平行に第３の縦梁が配置され、前記第３の縦梁により前記第１及び第３の横梁が連結固定されていることを特徴とする。
【００１８】
請求項１２に記載の発明は、請求項４から１１において、前記係止部の少なくとも一つが前記横梁と分離可能に接合されていることを特徴とする。
【００１９】
請求項１３に記載の発明は、請求項４から１２において、前記の縦梁および横梁の少なくとも一つが、隣り合う前記ガラスパネルとで共用されていることを特徴とする。
【００２０】
請求項１から１３の発明によれば、下見板張り状に配置される複数のガラスパネルと平行になるように、第１及び第２の縦梁を階段状に構成し、第１の縦梁をガラスパネルと視覚的に一体化させたので、ガラスパネルを支持する第１の縦梁がガラスパネルに対して目立たなくなる。また、第１及び第２の縦梁、第１及び第２の横梁は多張間架構（フィーレンデールトラスともいう）であり、梁りの圧縮荷重に対する剛性と梁の曲げ剛性によって横方向荷重を支える。これにより、従来の方立構造と同等の構造強度を得ることができる。
【００２１】
また、多張間架構の第１及び第２の縦梁間の隙間により、縦梁は、梁間が抜けた透視性のあるすっきりとした形状となるので、構造的な軽量化、及び省スペース化を図ることができる。
【００２２】
請求項１４に記載の発明は、カーテンウォールであって、求項１から１３のうちいずれか一つに記載のガラスパネルの壁面構造によって構築されたことを特徴とする。
【００２３】
請求項１５に記載の発明は、ガラスパネルユニットであって、所定の高さに対応する複数枚のガラスパネルからなる一列のパネル体が、請求項１から１３のうちいずれか一つに記載のガラスパネルの壁面構造により支持されることを特徴とする。
【００２４】
請求項１５に記載の発明によれば、例えばビルの１フロア分の高さに相当する複数枚のガラスパネルからなる一列のパネル体を、請求項１から１３のいずれか１項に記載した多張間架構の支持部材によって支持することによりガラスパネルユニットを構成し、そして、このガラスパネルユニットを、そのままビルの躯体に設置する。このようなガラスパネルユニットは、工場にて組み立てられるので、建設現場ではガラスパネルユニットをビルの躯体に設置する工事だけで済む。したがって、ガラスパネルユニットの設置工期が短縮し、工費も削減できる。
【００２５】
請求項１６に記載の発明によれば、カーテンウォールであって、請求項１５に記載のガラスパネルユニットによって構築されたことを特徴とする。
【００２６】
請求項１６に記載の発明によれば、請求項１５に記載したガラスパネルユニットをビルの躯体に順次設置するだけで、カーテンウォールを構築できる。これにより、カーテンウォールの工期を大幅に短縮でき、工費も大幅に削減できる。
【発明の効果】
【００２７】
本発明に係るガラスパネルの壁面構造によれば、下見板張り状に配置される複数のガラスパネルと平行になるように、第１及び第２の縦梁を階段状に構成し、第１の縦梁をガラスパネルと視覚的に一体化させたので、ガラスパネルを支持する支持部材がガラスパネルに対して目立たなくなり、第１及び第２の縦梁間の隙間により、縦梁は、梁間が抜けた透視性のあるすっきりとした形状となるので、構造的な軽量化、及び省スペース化を図ることができる。
【００２８】
また、本発明にかかるガラスパネルユニットによれば、所定の高さに対応する複数枚のガラスパネルからなる一列のパネル体を、前記支持構造により支持し、建設現場ではガラスパネルユニットをビルの躯体に設置する工事だけで済むようにしたので、ガラスパネルユニットの設置工期が短縮し、工費も削減できる。
【００２９】
更に、本発明に係るカーテンウォールによれば、前記ガラスパネルユニットをビルの躯体に順次設置するだけで構築されるので、カーテンウォールの工期を大幅に短縮でき、工費も大幅に削減できる。
【００３０】
また、従来の方立支持構造と比して本発明の支持構造の部材では、約２割の軽量化を測ることができ、施工が容易になるとともに、材料費も削減できる。
【発明を実施するための最良の形態】
【００３１】
以下、添付図面に従って本発明に係るガラスパネルの壁面構造及びガラスパネルユニット並びにカーテンウォールの好ましい実施の形態について詳説する。
【００３２】
図１は、実施の形態のカーテンウォール１０を室外側から見た正面図、図２は図１のカーテンウォール１０を室内側から見た要部斜視図であり、図３、図４は、カーテンウォール１０を構成するガラスパネル１２の支持構造を示した要部拡大斜視図である。
【００３３】
図１に示したカーテンウォール１０は、上下方向に配置された４枚の矩形状ガラスパネル１２、１２…がビルの１フロア分の高さＬに相当するもので、これらの多数のガラスパネル１２、１２…は、図２〜図４に示した実施の形態の支持部材１４、１４…によって一枚ずつ下見板張り状に支持されてビルの外壁を構成している。なお、図２に示した支持部材１４は、多数のガラスパネル１２、１２…との位置関係を分かり易く説明するために、その構成を誇張して示しており、その構成の詳細は図３、図４に示されている。
【００３４】
支持部材１４は、下見板張り状に配置されるガラスパネル１２、１２…と略平行に全体が階段状に構成される。また、この支持部材１４は、多張間架構であり、ガラスパネル１２の略二枚の高さ寸法をもって１枚のガラスパネル１２につき２本の縦梁（第１の縦梁）１６Ａ、及び縦梁（第２の縦梁）１６Ｂがガラスパネル（第２のガラスパネル）１２Ａに略平行に、かつ鉛直方向に対して４５°以内に配置される。鉛直方向に対しては、特に１０°以内が好ましい。また、ガラスパネル１２Ａ側の縦梁１６Ａは、前記ガラスパネル１２Ａの上方に位置するガラスパネル（第１のガラスパネル）１２Ｂと共有され、上方のガラスパネル１２Ｂにおいてはガラスパネル１２Ａと反対側の縦梁として配される。ガラスパネル１２Ａと反対側の縦梁１６Ｂは、ガラスパネル１２Ａの下方のガラスパネル（第３のガラスパネル）１２Ｃと共有され、ガラスパネル１２Ｃにおいてはガラスパネル１２Ｃ側の縦梁として配されて構成される。なお、図１、図２では、全てのガラスパネルに符号１２を付して説明したが、図３、図４ではガラスパネルの上下位置関係を明確にするために符号１２Ａ、１２Ｂ、１２Ｃを付して説明している。
【００３５】
この２本の縦梁１６Ａ、１６Ｂは、図３、図４に示すように板状に形成され、ガラスパネル１２Ａの面と直交する方向に並設されるが、板状に限定されるものではなく棒材や角筒状材であってもよい。また、支持部材１４の剛性を高めるために、支持部材１４を斜め材のあるトラス構造としてもよい。しかしながら、図３の如く２本の縦梁１６Ａ、１６Ｂ間に隙間１８のある実施の形態の支持部材１４は、その隙間により透視性が向上するという利点がある。
【００３６】
支持部材１４を構成する横梁（第１の横梁）２０Ａ、横梁（第２の横梁）２０Ｂは、略水平にガラスパネル１２Ａの一枚分の高さＴとガラスパネル１２Ａの傾きとに対応する間隔をもって縦梁１６Ａ、１６Ｂに連結されている。
横梁２０Ａは、上方のガラスパネル１２Ｂの下辺コーナー部を支持する金具（第１の係止部）２４Ａと、金具２４Ａより屋内側に位置するガラスパネル１２Ａの上辺コーナー部を支持する金具（第２の係止部）２８Ａと、を有する。また、横梁２０Ｂは、ガラスパネル１２Ａの下辺コーナー部を支持する金具（第３の係止部）２４Ｂと、そのガラスパネル１２Ｃの上辺コーナー部を支持する金具（第４の係止部）と、を有する。このように金具２４Ａ、２４Ｂ、２８Ａ、２８Ｂの位置を、横梁２０において水平方向にずらすことにより、ガラスパネル１２、１２…が図２の如く支持部材１４に下見板張り状に固定される。なお、符号２６は、ガラスパネル１２のコーナー部を金具２４Ａ、２４Ｂに接着させるためのシーリング材である。
【００３７】
一方、縦梁１６Ａは、横梁２０Ａの貫通孔２２に貫通配置され、ガラスパネル１２Ｂの上辺コーナー部を支持する横梁（第３の横梁）２０Ｃまで延在され、縦梁１６Ａと横梁２０Ｃとが連結、固定されている。また、縦梁１６Ｂは、横梁２０Ｂの貫通孔２２に貫通配置され、ガラスパネル１２Ｃの下辺コーナー部を支持する横梁（第４の横梁）２０Ｄまで延在され、縦梁１６Ｂと横梁２０Ｄとが連結、固定されている。なお、縦梁１６Ａと横梁２０Ａが連結固定されていれば、縦梁１６Ａは分割された材料であってもよく、横梁２０Ａに貫通孔を備えなくてもよい。
【００３８】
なお、図１に示すようにガラスパネル１２の略二枚の高さ寸法をもって１枚のガラスパネル１２につき２本の縦梁（第１の縦梁）１６Ａ、及び縦梁（第２の縦梁）１６Ｂがガラスパネル（第２のガラスパネル）１２Ａに略平行に配置されている例で説明したが、少なくとも三枚以上の高さ寸法をもって１枚のガラスパネル１２につきガラスパネル１２の左右それぞれに少なくとも３本以上梁を備えてもよい。しかし、コスト面、カーテンウォールの外観の観点から図1に示すように１枚のガラスパネル１２につきガラスパネル１２の左右各々に２本の梁を備えていることがより好ましい。
【００３９】
次に、前記の如く構成されたカーテンウォール１０の利点について説明する。
【００４０】
上述したように、実施の形態のガラスパネルの支持構造は、下見板張り状に配置される複数のガラスパネル１２、１２…と平行になるように、支持部材１４は階段状に構成される。このように、支持部材１４を、ガラスパネル１２、１２…に沿った階段状に構成することにより、ガラスパネル１２、１２…と支持部材１４とが視覚的に一体化するので、支持部材１４がガラスパネル１２に対して目立たなくなる。
【００４１】
また、支持部材１４は多張間架構であり、構成材の２本の縦梁１６Ａ、１６Ｂによって剛的に荷重を受け、ガラスパネル１２、１２…を縦梁１６Ａ、１６Ｂ及び横梁２０Ａ、２０Ｂの枠体によって支持することができる。図３には、ガラスパネル１２Ａに近接した縦梁１６Ａに圧縮方向の軸力がかかり、その縦梁１６Ａに隣接する縦梁１６Ｂに引っ張り方向の軸力がかかっている図が示されている。これにより、従来の方立構造と同等の横方向加重の強度を得ることができるようになる。また、２本の縦梁１６Ａ、１６Ｂ間の隙間１８により、支持部材１４は、透視性のあるすっきりとした形状となるので、構造的な軽量化、及び省スペース化を図ることができる。
【００４２】
また、１本の横梁２０Ａ、２０Ｂに、ガラスパネル１２Ａ、１２Ｂの下部コーナー部を受ける金具２４Ａ、２４Ｂと、下方のガラスパネル１２Ｂ、１２Ｃの上部コーナー部を受ける金具２８Ａ、２８Ｂを設け、これらの金具２４Ａ、２４Ｂと金具２８Ａ、２８Ｂとが見込み方向に重ねて設けられているので、横梁２０Ａ、２０Ｂの見付け寸法が小さくなる。したがって、カーテンウォール１０を正面から見たときに、横梁２０Ａ、２０Ｂが目立ち難くなるので、カーテンウォール１０の外観が良好になる。
【００４３】
次に、カーテンウォール１０の施工（構築）方法について説明する。
【００４４】
まず、ビルの１フロア分の高さに相当する４枚のガラスパネル１２、１２…からなる一列のパネル体を、図３に示したトラス構造の支持部材１４によって支持することによりガラスパネルユニット３０を構成する。ガラスパネルユニット３０の構成、すなわち、ガラスパネルユニット３０の組み立ては出荷工場にて行い、これを建設現場に搬送し、建設現場ではガラスパネルユニット３０、３０…をビルの躯体に設置する工事を行う。これにより、建設現場にてガラスパネルユニット３０を組み立てる従来の施工方法と比較して、ガラスパネルユニット３０及びカーテンウォール１０の設置工期が短縮し、工費も削減できる。
【００４５】
図５（Ａ）〜（Ｆ）には、金具（第１の係止部）２４Ａが横梁（第１の横梁）２０Ａと分離可能に接合されたその分離可能構造の一例が示されている。なお、金具（第２の係止部）２４Ｂと横梁（第２の横梁）２０Ｂとの分離可能構造においても同様であるが、どちらか一方にこの分離可能構造を適用してもよい。
【００４６】
図５（Ａ）で示す分離可能構造は、連結ピン４０、４０を介してガラスパネル１２Ｂを挟持する一対のプレート４２、４４と、ガラスパネル１２Ｂの室内側面に配置されたプレート４４をピン４６を介して横梁２０Ａに傾斜固定されるアーム４８とから金具２４Ａを構成した例である。
【００４７】
図５（Ｂ）で示す分離可能構造は、連結ピン４０、４０を介してガラスパネル１２Ｂを挟持する一対のプレート４２、４４と、ガラスパネル１２Ｂの室内側面に配置されたプレート４４を横梁２０Ａの傾斜面２１に締結するねじ５０とから金具２４Ａを構成した例である。
【００４８】
図５（Ｃ）で示す分離可能構造は、ガラスパネル１２Ｂに形成された孔部に嵌合されて固定される固定部５２と、固定部５２をブラケット５４を介して横梁２０Ａに締結するねじ５６とから金具２４Ａを構成した例である。
【００４９】
図５（Ｄ）で示す分離可能構造は、ガラスパネル１２Ｂの下端部を受ける凹型ホルダ５８と、ホルダ５８を横梁２０Ａに締結するねじ棒６０とから金具２４Ａを構成した例である。
【００５０】
図５（Ｅ）で示す分離可能構造は、横梁２０Ａの端部に切欠部２３を形成するとともに、横梁２０Ａの端部にＬ字状のプレート６２を、その下辺部でねじ６４により固定することによって、切欠部２３とプレート６２との間でガラスパネル１２Ｂの下端部を受ける凹型の金具２４Ａを構成した例である。
【００５１】
図５（Ｆ）で示す分離可能構造は、図５（Ｅ）の分離可能構造の変形例であり、ねじ６４の代わりに、横梁２０Ａの下面に一対のフック６６、６６を形成し、このフック６６、６６に係合するフック６８、６８をＬ字状のプレート７０に形成し、フック６６、６６にフック６８、６８を係合させることにより、切欠部２３とプレート７０との間でガラスパネル１２Ｂの下端部を受ける凹型の金具２４Ａを構成した例である。
【００５２】
図５（Ａ）から（Ｆ）の金具２４Ａを利用することにより、ガラスパネル１２Ｂを横梁２０Ａに容易に組み付けることができ、よって、出荷工場においてガラスパネルユニット３０を簡単に組み立てることができる。
【産業上の利用可能性】
【００５３】
本発明は、ガラスパネルのみでなく、建築用外壁部、内壁部、又は装飾用壁や仕切りにも適用できる。また、建築物の外壁部や窓部などを二重構造としたダブルスキンファサード構造における室外側のガラス支持構造に適用可能である。
【図面の簡単な説明】
【００５４】
【図１】実施の形態のカーテンウォールを室外側から見た正面図
【図２】図１のカーテンウォールを室内側から見た要部斜視図
【図３】図１のカーテンウォールを構成するガラスパネルの支持構造を示した要部拡大斜視図
【図４】図１のカーテンウォールを構成するガラスパネルの支持構造を示した要部拡大斜視図
【図５】係止部が横梁と分離可能に接合されたその分離可能構造の一例を示した要部構造図
【符号の説明】
【００５５】
１０…カーテンウォール、１２Ａ、１２Ｂ、１２Ｃ…ガラスパネル、１４…支持部材、１６Ａ、１６Ｂ…縦梁、１８…隙間、２０Ａ、２０Ｂ、２０Ｃ、２０Ｄ…横梁、２２…貫通孔、２４Ａ、２４Ｂ…金具、２６…シーリング材、２８Ａ、２８Ｂ…金具、３０…ガラスパネルユニット
【図１】
2007332644.tif 000003
【図２】
2007332644.tif 000004
【図３】
2007332644.tif 000005
【図４】
2007332644.tif 000006
【図５】
2007332644.tif 000007